(57)【要約】      （修正有）【課題】効率的なアクセスポイントの発見が可能なシステム、方法、およびデバイスを提供する。【解決手段】アクセスポイントのサービスセット識別子に基づく第１のインジケーションと第１のインジケーションが含まれていることを示す第２のインジケーションを含むワイヤレスフレームを生成する。フレームは、その後、ワイヤレス媒体上で送信される。第１のインジケーションはアクセスポイントのサービスセット識別子のハッシュ値、例えば、サービスセット識別子の周期的冗長検査（ＣＲＣ）値である。【選択図】図７
2019036971.tif 000002
【特許請求の範囲】
【請求項１】
ワイヤレスネットワーク上で通信する方法であって、
アクセスポイントによって、フレームを生成することと、前記フレームは、
前記アクセスポイントのサービスセット識別子の第１のインジケーションと、
前記第１のインジケーションのフォーマットの第２のインジケーションと、
を備え、
前記フレームを送信することと、
を備える、方法。
【請求項２】
前記サービスセット識別子に基づいてハッシュを生成することと、
前記ハッシュと等しい値を有するように前記第１のインジケーションを生成することと、
をさらに備える、請求項１に記載の方法。
【請求項３】
前記フレームがハッシュされたサービスセット識別子を含むことを示す値を有するように前記第２のインジケーションを生成することをさらに備える、請求項２に記載の方法。
【請求項４】
前記サービスセット識別子をハッシュすることは、前記サービスセット識別子に基づいて４オクテット周期的冗長検査（ＣＲＣ）値を生成することを備える、請求項２に記載の方法。
【請求項５】
前記サービスセット識別子をハッシュすることは、前記サービスセット識別子を切り詰めることを備える、請求項２に記載の方法。
【請求項６】
前記切り詰められたサービスセット識別子を示すために、前記フレームの制御フィールド中にサービスセット識別子情報フィールドを生成することをさらに備える、請求項５に記載の方法。
【請求項７】
前記サービスセット識別子をハッシュすることは、前記ハッシュを前記サービスセット識別子の最初の４オクテットに設定することを備える、請求項２に記載の方法。
【請求項８】
前記第１のインジケーションに記憶された前記ハッシュが前記サービスセット識別子の最初の４オクテットであることを示すために、前記フレームの制御フィールド中にサービスセット識別子情報フィールドを生成することをさらに備える、請求項７に記載の方法。
【請求項９】
前記フレームがフルレングスのサービスセット識別子を含むことを示す値を有するように前記第２のインジケーションを生成することと、
前記サービスセット識別子を含むように前記フレームを生成することと、
をさらに備える、請求項１に記載の方法。
【請求項１０】
前記フレームを周期的に送信することをさらに備える、請求項１に記載の方法。
【請求項１１】
前記フレームは、５００ミリ秒未満の時間間隔で送信される、請求項１０に記載の方法。
【請求項１２】
高速イニシャルリンクセットアップ発見フレームとして前記フレームを生成することをさらに備える、請求項１に記載の方法。
【請求項１３】
ワイヤレスネットワーク上で通信するための装置であって、
アクセスポイントによって、フレームを生成するように構成されるプロセッサと、前記フレームは、
前記アクセスポイントのサービスセット識別子の第１のインジケーションと、
前記第１のインジケーションのフォーマットの第２のインジケーションと、
を備え、
前記フレームを送信するように構成された送信機と、
を備える、装置。
【請求項１４】
前記プロセッサは、
前記サービスセット識別子に基づいてハッシュを生成し、
前記ハッシュと等しい値を有するように前記第１のインジケーションを生成するようにさらに構成される、請求項１３に記載の装置。
【請求項１５】
前記プロセッサは、前記フレームがハッシュされたサービスセット識別子を含むことを示す値を有するように前記第２のインジケーションを生成するようにさらに構成される、請求項１４に記載の装置。
【請求項１６】
前記サービスセット識別子をハッシュすることは、前記サービスセット識別子に基づいて４オクテット周期的冗長検査（ＣＲＣ）値を生成することを備える、請求項１４に記載の装置。
【請求項１７】
前記サービスセット識別子をハッシュすることは、前記サービスセット識別子を切り詰めることを備える、請求項１４に記載の装置。
【請求項１８】
前記プロセッサは、前記切り詰められたサービスセット識別子を示すために、前記フレームの制御フィールド中にサービスセット識別子情報フィールドを生成するようにさらに構成される、請求項１７に記載の装置。
【請求項１９】
前記サービスセット識別子をハッシュすることは、前記ハッシュを前記サービスセット識別子の最初の４オクテットに設定することを備える、請求項１４に記載の装置。
【請求項２０】
前記プロセッサは、前記第１のインジケーションに記憶された前記ハッシュが前記サービスセット識別子の最初の４オクテットであることを示すために、前記フレームの制御フィールド中にサービスセット識別子情報フィールドを生成するようにさらに構成される、請求項１９に記載の装置。
【請求項２１】
前記プロセッサは、
前記フレームがフルレングスのサービスセット識別子を含むことを示す値を有するように前記第２のインジケーションを生成し、
前記サービスセット識別子を含むように前記フレームを生成するようにさらに構成される、請求項１３に記載の装置。
【請求項２２】
前記プロセッサは、前記フレームを周期的に送信するようにさらに構成される、請求項１３に記載の装置。
【請求項２３】
前記フレームは、５００ミリ秒未満の時間間隔で送信される、請求項２２に記載の装置。
【請求項２４】
前記プロセッサは、高速イニシャルリンクセットアップ発見フレームとして前記フレームを生成するようにさらに構成される、請求項１３に記載の装置。
【請求項２５】
ワイヤレスネットワーク上で通信するための装置であって、
アクセスポイントによって、フレームを生成するための手段と、前記フレームは、
前記アクセスポイントのサービスセット識別子の第１のインジケーションと、
前記第１のインジケーションのフォーマットの第２のインジケーションと、
を備え、
前記フレームを送信するための手段と、
を備える、装置。
【請求項２６】
前記サービスセット識別子に基づいてハッシュを生成するための手段と、
前記ハッシュと等しい値を有するように前記第１のインジケーションを生成するための手段をさらに備える、請求項２５に記載の装置。
【請求項２７】
前記ハッシュを生成するための前記手段は、前記ハッシュを生成するために前記サービスセット識別子を切り詰めるように構成される、請求項２６に記載の装置。
【請求項２８】
前記切り詰められたサービスセット識別子を示すために、前記フレームの制御フィールド中にサービスセット識別子情報フィールドを生成するための手段をさらに備える、請求項２７に記載の装置。
【請求項２９】
前記ハッシュを生成するための前記手段は、前記ハッシュを前記サービスセット識別子の最初の４オクテットに設定するように構成される、請求項２６に記載の装置。
【請求項３０】
前記第１のインジケーションに記憶された前記ハッシュが前記サービスセット識別子の最初の４オクテットであることを示すために、前記フレームの制御フィールド中にサービスセット識別子情報フィールドを生成するための手段をさらに備える、請求項２９に記載の装置。
【請求項３１】
前記フレームがハッシュされたサービスセット識別子を含むことを示す値を有するように前記第２のインジケーションを生成するための手段をさらに備える、請求項２６に記載の装置。
【請求項３２】
前記ハッシュを生成するための前記手段は、前記ハッシュを生成するために前記サービスセット識別子に基づいて４オクテット周期的冗長検査（ＣＲＣ）値を生成するように構成される、請求項２６に記載の装置。
【請求項３３】
前記フレームがフルレングスのサービスセット識別子を含むことを示す値を有するように前記第２のインジケーションを生成するための手段と、
前記サービスセット識別子を含むように前記フレームを生成するための手段と、
をさらに備える、請求項２５に記載の装置。
【請求項３４】
前記フレームを周期的に送信するための手段をさらに備える、請求項２５に記載の装置。
【請求項３５】
前記フレームを周期的に送信するための前記手段は、５００ミリ秒未満の時間間隔で、前記フレームを生成および送信するように構成される、請求項３４に記載の装置。
【請求項３６】
高速イニシャルリンクセットアップ発見フレームとして前記フレームを生成するための手段をさらに備える、請求項２５に記載の装置。
【請求項３７】
実行されるとプロセッサに、ワイヤレスネットワーク上で通信させる命令を備えるコンピュータ可読記憶媒体であって、
アクセスポイントによって、フレームを生成し、前記フレームは、
前記アクセスポイントのサービスセット識別子の第１のインジケーションと、
前記第１のインジケーションのフォーマットの第２のインジケーションと、
を備え、
前記フレームを送信する、
ための命令を備える、コンピュータ可読記憶媒体。
【請求項３８】
前記サービスセット識別子に基づいてハッシュを生成し、
前記ハッシュと等しい値を有するように前記第１のインジケーションを生成する、
ための命令をさらに備える、請求項３７に記載のコンピュータ可読記憶媒体。
【請求項３９】
前記フレームがハッシュされたサービスセット識別子を含むことを示す値を有するように前記第２のインジケーションを生成するための命令をさらに備える、請求項３８に記載のコンピュータ可読記憶媒体。
【請求項４０】
前記サービスセット識別子をハッシュすることは、前記サービスセット識別子を切り詰めることを備える、請求項３８に記載のコンピュータ可読記憶媒体。
【請求項４１】
前記媒体は、前記切り詰められたサービスセット識別子を示すために、前記フレームの制御フィールド中にサービスセット識別子情報フィールドを生成するための命令をさらに備える、請求項４０に記載のコンピュータ可読記憶媒体。
【請求項４２】
前記ハッシュは、前記ハッシュを前記サービスセット識別子の最初の４オクテットに設定することによって生成される、請求項３８に記載のコンピュータ可読記憶媒体。
【請求項４３】
前記媒体は、前記第１のインジケーションに記憶された前記ハッシュが前記サービスセット識別子の最初の４オクテットであることを示すために、前記フレームの制御フィールド中にサービスセット識別子情報フィールドを生成するための命令をさらに備える、請求項４２に記載のコンピュータ可読記憶媒体。
【請求項４４】
前記サービスセット識別子に基づいて前記ハッシュを生成することは、前記サービスセット識別子に基づいて４オクテット周期的冗長検査（ＣＲＣ）値を生成することを備える、請求項３８に記載のコンピュータ可読記憶媒体。
【請求項４５】
前記フレームがフルレングスのサービスセット識別子を含むことを示す値を有するように前記第２のインジケーションを生成し、
前記サービスセット識別子を含むように前記フレームを生成する
ための命令をさらに備える、請求項３７に記載のコンピュータ可読記憶媒体。
【請求項４６】
前記フレームを周期的に送信するための命令をさらに備える、請求項３７に記載のコンピュータ可読記憶媒体。
【請求項４７】
前記フレームは、５００ミリ秒未満の時間間隔で送信される、請求項４６に記載のコンピュータ可読記憶媒体。
【請求項４８】
高速イニシャルリンクセットアップ発見フレームとして前記フレームを生成するための命令をさらに備える、請求項３７に記載のコンピュータ可読記憶媒体。
【請求項４９】
ワイヤレスネットワーク上で通信する方法であって、
アクセスポイントから、フレームを受信することと、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号することと、
前記アクセスポイントの前記サービスセット識別子に基づいて前記アクセスポイントと通信することと、
を備える、方法。
【請求項５０】
前記第２のインジケーションに基づいて前記第１のインジケーションの長さを決定することと、前記長さに基づいて前記第１のインジケーションを復号することと、をさらに備える、請求項４９に記載の方法。
【請求項５１】
前記アクセスポイントと通信することは、前記アクセスポイントと関連付けることを含む、請求項４９に記載の方法。
【請求項５２】
前記アクセスポイントと通信することは、前記アクセスポイントとの１つ以上のメッセージ交換に、前記第１のインジケーションを含めることを備える、請求項４９に記載の方法。
【請求項５３】
ワイヤレスネットワーク上で通信するための装置であって、
アクセスポイントから、フレームを受信するように構成される受信機と、前記フレームは、
前記アクセスポイントのサービスセット識別子の第１のインジケーションと、
前記第１のインジケーションのフォーマットの第２のインジケーションと、
を備え、
プロセッサと、を備え、前記プロセッサは、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信するように構成される、
装置。
【請求項５４】
前記プロセッサは、前記第２のインジケーションに基づいて前記第１のインジケーションの長さを決定し、前記長さに基づいて前記第１のインジケーションを復号するようにさらに構成される、請求項５３に記載の装置。
【請求項５５】
前記アクセスポイントと通信することは、前記アクセスポイントと関連付けることを含む、請求項５３に記載の装置。
【請求項５６】
前記アクセスポイントと通信することは、前記アクセスポイントとの１つ以上のメッセージ交換に、前記第１のインジケーションを含めることを備える、請求項５３に記載の装置。
【請求項５７】
ワイヤレスネットワーク上で通信するための装置であって、
アクセスポイントから、フレームを受信するための手段と、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号するための手段と、
前記アクセスポイントの前記サービスセット識別子に基づいて前記アクセスポイントと通信するための手段と、
を備える、装置。
【請求項５８】
前記第２のインジケーションに基づいて前記第１のインジケーションの長さを決定するための手段をさらに備え、
前記第１のインジケーションを復号するための前記手段は、前記長さに基づいて前記第１のインジケーションを復号するように構成される、請求項５７に記載の装置。
【請求項５９】
通信するための前記手段は、前記第１のインジケーションに基づいて前記アクセスポイントと関連付けるように構成される、請求項５７に記載の装置。
【請求項６０】
通信するための前記手段は、前記アクセスポイントとの１つ以上のメッセージ交換に、前記第１のインジケーションを含めるように構成される、請求項５７に記載の装置。
【請求項６１】
実行されるとプロセッサに、ワイヤレスネットワーク上で通信させる命令を備えるコンピュータ可読記憶媒体であって、
アクセスポイントから、フレームを受信し、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信する
ための命令を備える、コンピュータ可読記憶媒体。
【請求項６２】
前記第２のインジケーションに基づいて前記第１のインジケーションの長さを決定するための命令をさらに備え、
前記第１のインジケーションの前記復号は、前記長さに基づく、
請求項６１に記載のコンピュータ可読記憶媒体。
【請求項６３】
前記アクセスポイントと通信することは、前記アクセスポイントと関連付けることを含む、請求項６１に記載のコンピュータ可読記憶媒体。
【請求項６４】
前記アクセスポイントと通信することは、前記アクセスポイントとの１つ以上のメッセージ交換において前記第１のインジケーションを含むことを備える、請求項６１に記載のコンピュータ可読記憶媒体。
【発明の詳細な説明】
【技術分野】
【０００１】
本願は、一般的にワイヤレス通信システムに、より具体的にワイヤレス通信システム内の高速イニシャルリンクセットアップのためのシステム、方法、およびデバイスに関する。
【背景技術】
【０００２】
[0002]多くのテレコミュニケーションシステムでは、通信ネットワークは、いくつかの相互作用する空間的に隔てられたデバイス間でメッセージを交換するために使用される。ネットワークは、地理的範囲に従って分類されることができ、それは、例えば、メトロポリタンエリア、ローカルエリア、またはパーソナルエリアであることができる。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定され得る。ネットワークはまた、様々なネットワークノードおよびデバイスを接続するために使用される交換／ルーティング技術（例えば、回線交換対パケット交換）、送信のために用いられる物理媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）、等）に従って異なる。
【０００３】
[0003]ワイヤレスネットワークは、ネットワーク要素がモバイルであり、これにより、動的接続性のニーズを有する場合、またはネットワークアーキテクチャが、固定式というよりはむしろ、アドホックのトポロジにおいて形成される場合に好まれることが多い。ワイヤレス局（ＳＴＡ）およびアクセスポイント（ＡＰ）のようなモバイルネットワーク要素は、ネットワークを利用するためのリンクセットアップの処理を介してメッセージを交換することができる。ある条件の下で、多くのＳＴＡは、短い期間の間でネットワークを使用しようと試みることができる。例えば、いくつかのＳＴＡがネットワークの近辺に移動するとき、ネットワークは、リンクセットアップにおいて好ましくないレイテンシーを作成するリンクセットアップ処理の衝突の増加されたレートを経験し得る。それゆえに、ワイヤレス通信ネットワークにおいて、高速イニシャルリンクセットアップのための必要性がある。
【発明の概要】
【０００４】
[0004]  本発明のシステム、方法、およびデバイスはそれぞれ、いくつかの態様を有し、これらのうちいずれも、単独で、それの望ましい属性（attribute）に関与しない。続く特許請求の範囲によって表されるこの発明の範囲を限定することなく、いくつかの特徴が、これから簡潔に議論される。この議論を考慮した後、特に「発明を実施するための形態」と題されたセクションを読んだ後、この発明の特徴が、ワイヤレスネットワークにおけるアクセスポイントと局との間の改善された通信を含む利点をどのように提供するかを理解するだろう。
【０００５】
[0005]この開示の一態様は、ワイヤレス通信ネットワークにおけるデータ通信のための方法を提供する。方法は、アクセスポイントによって、アクセスポイントのサービスセット識別子の第１のインジケーションと、第１のインジケーションのフォーマットの第２のインジケーションと、を備えるフレームを生成することと、生成されたフレームを送信することと、を含む。いくつかの態様において、方法は、サービスセット識別子をハッシュすることと、ハッシュと等しい値を有するように第１のインジケーションを生成することと、をさらに備える。いくつかの態様において、方法はまた、フレームがハッシュされたサービスセット識別子を含むことを示す値を有するように第２のインジケーションを生成することを備える。いくつかの態様において、サービスセット識別子をハッシュすることは、サービスセット識別子に基づいて４オクテット周期的冗長検査（ＣＲＣ）値を生成することを備える。いくつかの態様において、方法はまた、フレームがフルレングス（full length）のサービスセット識別子を含むことを示す値を有するように第２のインジケーションを生成することと、サービスセット識別子を含むようにフレームを生成することを含む。いくつかの態様において、方法はまた、生成されたフレームを周期的に送信することを含む。いくつかの態様において、生成されたフレームは、５００ミリ秒未満の時間間隔で送信される。いくつかの態様において、方法は、高速イニシャルリンクセットアップ発見（discovery:ディスカバリ）フレームとして前記フレームを生成することを含む。
【０００６】
[0006]開示される別の態様は、ワイヤレスネットワーク上で通信するための装置である。装置は、アクセスポイントによって、アクセスポイントのサービスセット識別子の第１のインジケーションと、第１のインジケーションのフォーマットの第２のインジケーションと、を備えるフレームを生成するように構成されるプロセッサと、生成されたフレームを送信するように構成される送信機と、を含む。
【０００７】
[0007]いくつかの態様において、プロセッサは、サービスセット識別子をハッシュし、ハッシュと等しい値を有するように前記第１のインジケーションを生成するようにさらに構成される。いくつかの態様において、プロセッサは、フレームがハッシュされたサービスセット識別子を含むことを示す値を有するように第２のインジケーションを生成するようにさらに構成される。いくつかの態様において、サービスセット識別子をハッシュすることは、サービスセット識別子に基づいて４オクテット周期的冗長検査（ＣＲＣ）値を生成することを備える。いくつかの態様において、装置、プロセッサは、フレームがフルレングス（full length）のサービスセット識別子を含むことを示す値を有するように第２のインジケーションを生成し、サービスセット識別子を含むようにフレームを生成するようにさらに構成される。いくつかの態様において、プロセッサは、生成されたフレームを周期的に送信するようにさらに構成される。いくつかの態様において、生成されたフレームは、５００ミリ秒未満の時間間隔で送信される。
【０００８】
[0008]いくつかの態様において、プロセッサは、高速イニシャルリンクセットアップ発見（discovery:ディスカバリ）フレームとして前記フレームを生成するようにさらに構成される。
【０００９】
[0009]開示される別の態様は、ワイヤレスネットワーク上で通信するための装置である。装置は、アクセスポイントによって、アクセスポイントのサービスセット識別子の第１のインジケーションと、第１のインジケーションのフォーマットの第２のインジケーションと、を備えるフレームを生成するための手段と、生成されたフレームを送信するための手段と、を含む。いくつかの態様において、装置はまた、サービスセット識別子をハッシュするための手段と、ハッシュと等しい値を有するように第１のインジケーションを生成するための手段と、を含む。いくつかの態様において、装置はまた、フレームがハッシュされたサービスセット識別子を含むことを示す値を有するように第２のインジケーションを生成するための手段を含む。装置のいくつかの態様において、サービスセット識別子をハッシュするための手段は、サービスセット識別子に基づいて４オクテット周期的冗長検査（ＣＲＣ）値を生成するように構成される。いくつかの態様において、装置はまた、フレームがフルレングスのサービスセット識別子を含むことを示す値を有するように第２のインジケーションを生成するための手段と、サービスセット識別子を含むようにフレームを生成するための手段と、を含む。いくつかの態様において、装置は、生成されたフレームを周期的に送信するための手段をさらに含む。装置のいくつかの態様において、生成されたフレームを周期的に送信するための手段は、フレームを生成し、５００ミリ秒未満の時間間隔でフレームを送信するように構成される。装置のいくつかの態様はまた、高速イニシャルリンクセットアップ発見（discovery:ディスカバリ）フレームとして前記フレームを生成する手段を含む。
【００１０】
[0010]開示される別の態様は、実行されるとプロセッサに、ワイヤレスネットワーク上で通信する方法を実行させる命令を備えるコンピュータ可読記憶媒体であって、方法は、アクセスポイントによって、アクセスポイントのサービスセット識別子の第１のインジケーションと、第１のインジケーションのフォーマットの第２のインジケーションと、を備えるフレームを生成することと、生成されたフレームを送信することと、を含む。いくつかの態様において、方法はまた、サービスセット識別子をハッシュすることと、ハッシュと等しい値を有するように第１のインジケーションを生成することと、を備える。いくつかの態様において、方法はまた、フレームがハッシュされたサービスセット識別子を含むことを示す値を有するように第２のインジケーションを生成することを備える。いくつかの態様において、サービスセット識別子をハッシュすることは、サービスセット識別子に基づいて４オクテット周期的冗長検査（ＣＲＣ）値を生成することを備える。いくつかの態様において、方法はまた、フレームがフルレングスのサービスセット識別子を含むことを示す値を有するように第２のインジケーションを生成することと、サービスセット識別子を含むようにフレームを生成することとを含む。いくつかの態様において、方法はまた、生成されたフレームを周期的に送信することを含む。いくつかの態様において、生成されたフレームは、５００ミリ秒未満の時間間隔で送信される。いくつかの態様において、方法は、高速イニシャルリンクセットアップ発見フレームとして前記フレームを生成することを含む。
【００１１】
[0011]開示される別の態様は、ワイヤレスネットワーク上で通信する方法である。方法は、アクセスポイントから、アクセスポイントのサービスセット識別子の第１のインジケーションと、第１のインジケーションのフォーマットの第２のインジケーションと、を備えるフレームを受信することと、アクセスポイントのサービスセット識別子を決定するために第２のインジケーションに基づいて第１のインジケーションを復号することと、アクセスポイントの決定されたサービスセット識別子に基づいてアクセスポイントと通信することと、を含む。
【００１２】
[0012]いくつかの態様において、方法はまた、第２のインジケーションに基づいて第１のインジケーションの長さを決定することを含む。方法のいくつかの態様において、アクセスポイントと通信することは、アクセスポイントと関連付け（アソシエート）することを備える。方法のいくつかの態様において、アクセスポイントと通信することは、アクセスポイントとの１つ以上のメッセージ交換において復号された第１のインジケーションを含むことを備える。  [0013]開示される別の態様は、ワイヤレスネットワーク上で通信するための装置である。装置は、アクセスポイントから、アクセスポイントのサービスセット識別子の第１のインジケーションと、第１のインジケーションのフォーマットの第２のインジケーションと、を備えるフレームを受信するように構成される受信機と、アクセスポイントのサービスセット識別子を決定するために前記第２のインジケーションに基づいて第１のインジケーションを復号し、アクセスポイントの決定されたサービスセット識別子に基づいてアクセスポイントと通信するように構成されるプロセッサと、を含む。
【００１３】
[0014]装置のいくつかの態様において、プロセッサは、第２のインジケーションに基づいて第１のインジケーションの長さを決定するようにさらに構成される。装置のいくつかの態様において、アクセスポイントと通信することは、アクセスポイントと関連付け（アソシエート）することを備える。装置のいくつかの態様において、アクセスポイントと通信することは、アクセスポイントとの１つ以上のメッセージ交換において復号された第１のインジケーションを含むことを備える。
【００１４】
[0015]開示される別の態様は、ワイヤレスネットワーク上で通信するための装置である。装置は、アクセスポイントから、アクセスポイントのサービスセット識別子の第１のインジケーションと、第１のインジケーションのフォーマットの第２のインジケーションと、を備えるフレームを受信するための手段と、アクセスポイントのサービスセット識別子を決定するために第２のインジケーションに基づいて第１のインジケーションを復号するための手段と、アクセスポイントの決定されたサービスセット識別子に基づいてアクセスポイントと通信するための手段とを含む。
【００１５】
[0016]装置のいくつかの態様はまた、第２のインジケーションに基づいて前記第１のインジケーションの長さを決定するための手段を含む。装置のいくつかの態様はまた、通信するための手段は第１のインジケーションに基づいてアクセスポイントと関連付け（アソシエート）するように構成される、を含む。装置のいくつかの態様はまた、通信するための手段は、アクセスポイントとの１つ以上のメッセージ交換において復号された第１のインジケーションを含むように構成される、を含む。
【００１６】
[0017]開示される別の態様は、実行されるときプロセッサに、ワイヤレスネットワーク上で通信する方法を実行させる命令を備えるコンピュータ可読記憶媒体であり、該方法は、アクセスポイントから、アクセスポイントのサービスセット識別子の第１のインジケーションと、第１のインジケーションのフォーマットの第２のインジケーションと、を備えるフレームを受信することを含む。方法はまた、アクセスポイントのサービスセット識別子を決定するために、第２のインジケーションに基づいて前記第１のインジケーションを復号することと、アクセスポイントの決定されたサービスセット識別子に基づいてアクセスポイントと通信すること含む。
【００１７】
[0018]コンピュータ可読記憶媒体のいくつかの態様において、方法はまた、第２のインジケーションに基づいて前記第１のインジケーションの長さを決定することを含む。コンピュータ可読記憶媒体のいくつかの態様において、方法はまた、アクセスポイントと通信することは、アクセスポイントと関連付け（アソシエート）することを備える、を含む。コンピュータ可読記憶媒体のいくつかの態様において、アクセスポイントと通信することは、アクセスポイントとの１つ以上のメッセージ交換において復号された第１のインジケーションを含むことを備える。
【図面の簡単な説明】
【００１８】
【図１】図１は、本開示の態様が用いられることができる例示的なワイヤレス通信システムを示す。
【図２】図２は、高速イニシャルリンクセットアップ（ＦＩＬＳ）ワイヤレス通信システムにおける通信交換を示す。
【図３】図３は、発見フレームの例示的なメッセージフォーマットを示す。
【図４】図４は、発見フレーム制御フィールドの例示的なメッセージフォーマットを示す。
【図５】図５は、強化発見フレーム制御フィールドの例示的なメッセージフォーマットを示す。
【図６】図６は、図１のワイヤレス通信システム内で用いられることができる例示的なワイヤレスデバイスの機能ブロック図を示す。
【図７】図７は、図１のワイヤレス通信システムにおけるデータを通信するための処理のフローチャートである。
【図８】図８は、図１のワイヤレス通信システムにおけるデータを通信するための処理のフローチャートである。
【発明を実施するための形態】
【００１９】
[0027]新しいシステム、装置、および方法の様々な態様は、添付の図面の参照によって、以下でさらに十分に説明される。しかしながら、この開示は、多くの異なる形式で具現化され得、この開示全体にわたって提示される任意の特有の構成または機能に限定されると解釈されるべきではない。むしろ、これらの態様は、この開示を徹底的かつ完全なものとし、この開示の範囲が当業者に十分に伝わるように、提供されるものである。ここにおける教示に基づいて、当業者は、開示の範囲が、発明の任意の他の態様とは独立して、または組み合わされてインプリメントされようと、本明細書において開示される新規のシステム、装置、および方法の任意の態様をカバーするように意図されていることを認識すべきである。例えば、ここで説明される任意の数の態様を使用して、装置がインプリメントされ得、または方法が実施され得る。加えて、本発明の範囲は、ここで説明される本発明の様々な態様に加えて、またはそれ以外の、他の構造、機能、または構造と機能を使用して実施されるこのような装置または方法をカバーするように意図される。ここで開示される任意の態様が、請求項の１つ以上の要素によって具現化され得ることが理解されるべきである。
【００２０】
[0028]特定の態様はここに説明されたが、これらの態様の多くの変形および並べ替えは開示の範囲内である。好ましい態様のいくつかの恩恵および利点が説明されるが、開示の範囲は、特定の恩恵、使用、または目的に限定されることを意図しない。むしろ、開示の態様は、異なるワイヤレス技術、システム構成、ネットワーク、および伝送プロトコルに広く適用可能であることが意図され、そのうちのいくつかは、好ましい態様の下記の説明および図面において、例として示される。詳細な説明および図面は単に、限定というよりはむしろ開示の例示であり、本開示の範囲は、添付された特許請求の範囲およびそれらの均等物によって定義されている。
【００２１】
[0029]図１は、本開示の態様が用いられることができる例示的なワイヤレス通信システム１００を示す。ワイヤレス通信システム１００は、アクセスポイント（ＡＰ）１０４ａを含み、これは基本サービスエリア（ＢＳＡ）１０７ａにおける複数の局（ＳＴＡ）１０６ａ−１０６ｄと通信する。ワイヤレス通信システム１００は、ＢＳＡ１０７ｂにおいて通信することができる第２のＡＰ１０４ｂを更に含むことができる。１つ以上のＳＴＡ１０６は、例えば、電車（train）１２０を介して、ＢＳＡ１０７ａ−１０７ｂの内および／または外で移動することができる。ここで説明される様々な実施形態において、ＳＴＡ１０６および１０６ａ−１０６ｄは、特にＢＳＡ１０７ａおよび／または１０７ｂ内に移動するときに、ＡＰ１０４ａおよび／または１０４ｂとのワイヤレスリンクを速く確立するように構成されることができる。
【００２２】
[0030]ＡＰ１０４ａおよび／または１０４ｂとのワイヤレスリンクの高速確立を提供するために、ＡＰ１０４ａ−ｂは、送信アクセスポイントの存在を識別する発見フレームを周期的に送信し得る。いくつかの態様において、アクセスポイントを識別する送信されたフレームは、高速イニシャルリンクセットアップ（ＦＩＬＳ）発見フレームであり得る。発見フレームを受信すると、ＳＴＡ１０６ａ−ｄは、識別されたＡＰ１０４ａ−ｂとの接続（コネクション）を確立するように構成され得る。
【００２３】
[0031]ＳＴＡがアクセスポイントの範囲内に移動した後、すぐにそのアクセスポイントの高速識別を提供するために、ＡＰ１０４ａおよび／または１０４ｂは、比較的短い間隔で、例えば、いくつかの態様において、１００、２００、３００、４００、または５００ミリ秒の頻度で、発見フレームを送信し得る。いくつかの態様において、発見フレームの送信の頻度は、１００ミリ秒未満であり得る。発見フレームは頻繁に送信され得るため、それらの送信はワイヤレス媒体上の容量の多くの部分を消費する。従って、アクセスポイント発見フレームの周期的な送信によって利用されるネットワーク容量の量を軽減するために、サイズが減少された発見フレームを提供することは、有益であり得る。ここでより詳細に説明されるように、デバイス１０６および１０４ａ−１０４ｂは、発見フレームの周期的な送信に関連付けられたオーバーヘッドを減少させるために様々な技術をインプリメントすることができ、従って、ネットワークパフォーマンスを強化することができる。
【００２４】
[0032]様々な実施形態において、ワイヤレス通信システム１００は、ワイヤレスローカルエリアネットワーク（ＷＬＡＮ）を含むことができる。ＷＬＡＮは、１つ以上のネットワーキングプロトコルを用いて、近くのデバイスを相互接続するために使用されることができる。ここで説明される様々な態様は、ＩＥＥＥ  ８０２．１１ワイヤレスプロトコルのような任意の通信規格に適用することができる。例えば、ここで説明される様々な態様は、ＩＥＥＥ  ８０２．１１ａ、８０２．１１ｂ、８０２．１１ｇ、８０２．１１ｎ、８０２．１１ａｈ、および／または８０２．１１ａｉプロトコルの一部として使用されることができる。８０２．１１プロトコルのインプリメンテーションは、センサ、ホームオートメーション、パーソナルヘルスケアネットワーク、監視ネットワーク、メータリング、スマートグリッドネットワーク、車内および車間通信、エマージェンシコーディネーションネットワーク、セルラ（例えば、３Ｇ／４Ｇ）ネットワークオフロード、（例えば、ホットスポットでの使用のための）短いおよび／または長い範囲のインターネットアクセス、マシンツーマシン（Ｍ２Ｍ）通信等のために、使用されることができる。
【００２５】
[0033]ＡＰ１０４ａ−１０４ｂは、ワイヤレス通信システム１００のための基地局またはハブになることができる。例えば、ＡＰ１０４ａはＢＳＡ１０７ａにおけるワイヤレス通信カバレッジを提供することができ、ＡＰ１０４ｂはＢＳＡ１０７ｂにおけるワイヤレス通信カバレッジを提供することができる。ＡＰ１０４ａおよび／または１０４ｂは、ノードＢ、無線ネットワークコントローラ（ＲＮＣ）、ｅノードＢ、基地局コントローラ（ＢＳＣ）、ベーストランシーバ基地局（ＢＴＳ）、基地局（ＢＳ）、トランシーバ機能（ＴＦ）、無線ルータ、無線トランシーバ、またはいくつかの他の技術を含み、それらとしてインプリメントされ、またはそれらとして知られることができる。
【００２６】
[0034]ＳＴＡ１０６および１０６ａ−１０６ｄ（ここでは、ＳＴＡ１０６としてひとまとめにして称される）は、例えば、ラップトップコンピュータ、パーソナルデジタルアシスタント（ＰＤＡ）、モバイルフォン等のような多様なデバイスを含むことができる。ＳＴＡ１０６は、インターネットまたは他のワイドエリアネットワークへの一般の接続性を得るために、ワイヤレスリンクに準拠したWｉ-Fｉ(例えば、ＩＥＥＥ  ８０２．１１ａｉのようなＩＥＥＥ  ８０２．１１プロトコル)を介してＡＰ１０４ａ−１０４ｂに接続し、または関連付くことができる。ＳＴＡ１０６はまた、「クライアント」として称され得る。
【００２７】
[0035]様々な実施形態において、ＳＴＡ１０６は、アクセス端末（ＡＴ）、加入者局、加入者ユニット、モバイル局、リモート局、リモート端末、ユーザ端末（ＵＴ）、端末、ユーザエージェント、ユーザデバイス、ユーザ機器（ＵＥ）、またはいくつかの他の技術を含み、それらとしてインプリメントされ、またはそれらとして知られることができる。いくつかのインプリメンテーションにおいて、ＳＴＡ１０６は、セルラ電話、コードレス電話、セッション開始プロトコル（ＳＩＰ）フォン、ワイヤレスローカルループ（ＷＬＬ）局、パーソナルデジタルアシスタント（ＰＤＡ）、ワイヤレス接続能力を有するハンドヘルドデバイス、またはワイヤレスモデムに接続されるいくつかの他の適した処理デバイスを含むことができる。それゆえに、ここで教示される１つ以上の態様は、フォン（例えば、セルラフォンまたはスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽または映像デバイス、あるいは衛星ラジオ）、ゲーミングデバイスまたはシステム、全地球測位システムデバイス、またはワイヤレス媒体を介して通信するように構成された任意の他の適したデバイスに組み込まれることができる。
【００２８】
[0036]ＡＰ１０４ａと関連付けられ、通信のためにＡＰ１０４ａを使用するように構成されたＳＴＡ１０６ａ−１０６ｄとともに、ＡＰ１０４ａは、基本サービスセット（ＢＳＳ）として称されることができる。いくつかの実施形態において、ワイヤレス通信システム１００は、中央ＡＰ１０４ａを有し得ない。例えば、いくつかの実施形態において、ワイヤレス通信システム１００は、ＳＴＡ１０６間のピアツーピアネットワークとして機能することができる。それゆえに、ここで説明されたＡＰ１０４ａの機能は、ＳＴＡ１０６の１つ以上によって代わりに実行されることができる。さらに、ＡＰ１０４ａは、いくつかの実施形態において、ＳＴＡ１０６に関して説明された１つ以上の態様をインプリメントすることができる。
【００２９】
[0037]ＡＰ１０４ａから1つまたは複数のＳＴＡ１０６ヘの送信を容易にする通信リンクは、ダウンリンク（ＤＬ）１３０として称されることができ、1つまたは複数のＳＴＡ１０６からＡＰ１０４ａへの送信を容易にする通信リンクは、アップリンク（ＵＬ）１４０として称されることができる。代わりに、ダウンリンク１３０は順方向リンク（forward link）または順方向チャネルとして称され、アップリンク１４０は逆方向リンク（reverse link）または逆方向チャネルとして称されることができる。
【００３０】
[0038]多様な処理および方法は、ＡＰ１０４ａと（複数の）ＳＴＡ１０６との間のワイヤレス通信システム１００における送信のために使用されることができる。いくつかの態様において、ワイヤレス信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組み合わせ、または他のスキームを使用して、送信されることができる。例えば、信号は、ＯＦＤＭ／ＯＦＤＭＡプロセスに従って、ＡＰ１０４ａとＳＴＡ１０６との間で送信され、受信されることができる。従って、ワイヤレス通信システム１００は、ＯＦＤＭ／ＯＦＤＭＡシステムとして称されることができる。別の例として、信号は、ＣＤＭＡプロセスに従って、ＡＰ１０４ａとＳＴＡ１０６との間で送信され、受信されることができる。従って、ワイヤレス通信システム１００は、ＣＤＭＡシステムとして称されることができる。
【００３１】
[0039]そのようなプロトコルをインプリメントする（ＡＰ１０４ａおよびＳＴＡ１０６のような）あるデバイスの態様は、他のワイヤレスプロトコルをインプリメントするデバイスよりも少ない電力を消費することができる。デバイスは、比較的長い範囲、例えばおよそ１キロメートル以上にわたって、ワイヤレス信号を送信するために使用されることができる。ここでより詳細に説明されるように、いくつかの実施形態において、デバイスは、他のワイヤレスプロトコルをインプリメントするデバイスよりも速くワイヤレスリンクを確立するように構成されることができる。
アソシエーション（関連付け）および認証（オーセンティケーション） 
[0040]一般的に、ＩＥＥＥ  ８０２．１Ｘプロトコルにおいて、認証が、ＳＴＡと認証サーバ（例えば、識別、検証、許可、プライバシー（秘密）、非否認（non-repudiation）のような認証サービスを提供するサーバ）との間で行われる。例えば、認証者（authenticator）として機能するＡＰは、認証プロセス中において、ＡＰと認証サーバとの間でメッセージの中継をする。いくつかの例において、ＳＴＡとＡＰとの間の認証メッセージは、拡張可能な認証プロトコルオーバローカルエリアネットワーク（ＥＡＰＯＬ）フレームを使用して運ばれる。ＥＡＰＯＬフレームは、ＩＥＥＥ  ８０２．１１ｉプロトコルにおいて定義され得る。ＡＰと認証サーバとの間の認証メッセージは、リモート認証ダイヤルインユーザサービス（ＲＡＤＩＵＳ）プロトコル、またはダイアメータ（Diameter）認証、許可、および課金（accounting）プロトコルを使用して運ばれ得る。
【００３２】
[0041]図２は、ＦＩＬＳワイヤレス通信システムにおける通信交換２００を示す。様々な実施形態に従って、ＩＥＥＥ  ８０２．１１ａｉネットワークの認証およびアソシエーション中における１つ以上のＳＴＡ１０６および１０６ａ−１０６ｄ、１つ以上のＡＰ１０４ａ−１０４ｂ、および認証サーバ２０８間の信号が示される。
[0042]図２において例示されるように、ＡＰ１０４は、まず発見フレーム２０２を送信する。発見フレーム２０２は、いくつかの態様において、高速イニシャルリンクセットアップ（ＦＩＬＳ）発見フレームであり得る。発見フレーム２０２は、図２に示されるＳＴＡ１０６のような、発見フレームを受信する１つ以上のデバイスにＡＰ１０４の存在を示し得る。例えば、発見フレームは、ＡＰ１０４のサービスセット識別子（ＳＳＩＤ）を含み得る。サービスセット識別子は、１つ以上のＳＴＡ１０６がＡＰ１０４との通信を確立することを少なくとも部分的に可能にさせる。上記で論述されたように、ＳＴＡがＡＰ１０４の範囲内に移動するときに、ＳＴＡとＡＰ１０４との間の通信の高速確立を容易にするために、ＡＰ１０４は発見フレーム２０２を周期的に送信し得る。第１の発見フレーム２０２と（示されていない）第２の発見フレームとの間のより短い周期は、ＡＰ１０４との通信の確立において減少された経過時間を提供することができる。
【００３３】
[0043]図２に例示されるように、ＳＴＡ１０６は、認証フレーム２０５をＡＰ１０４に送信する。認証フレーム２０５は、拡張可能な認証プロトコル（ＥＡＰ：extensible authentication protocol）再認証開始(re-authentication initiation)メッセージ（これは、例えば、ＥＡＰ再認証プロトコルの一部である）を含むＥＡＰＯＬフレームであり得る。
【００３４】
[0044]認証フレーム２０５の受信に基づいて、ＡＰ１０４は、認証要求２１０を認証サーバ２０８に送信し得る。認証要求２１０は、認証(authentication)、許可(authorization)、および課金（ＡＡＡ）ＥＡＰ要求（例えば、ＥＡＰペイロード）であり得、それはＥＡＰ再認証開始メッセージを含み得る。
【００３５】
[0045]一旦、認証サーバ２０８が応答可能になると、認証サーバ２０８は認証アンサ（authentication answer）２１５をＡＰ１０４に送信し得る。認証アンサ２１５は、ＡＡＡ  ＥＡＰサンサ（例えば、ＥＡＰペイロード）であり得、それは認証が成功したか失敗したかのインジケーションを含み得る。例えば、認証が成功したか失敗したかのインジケーションは、ＥＡＰ成功メッセージまたはＥＡＰ失敗メッセージであり得る。認証アンサ２１５はまた、ペアワイズ（pairwise）マスターキー（ＰＭＫ）を含み得、それはＡＰ１０４に配布され、トラフィックを暗号化するために使用される。
【００３６】
[0046]認証アンサ２１５を受信すると、ＡＰ１０４は、認証フレーム２２０をＳＴＡ１０６に送信し得る。認証フレーム２２０は、ＥＡＰＯＬフレームであり得、ＥＡＰ終了再認証（finish-re-authentication）メッセージ（これは、例えば、ＥＡＰ再認証プロトコルの一部である）を含み得、それは認証が成功したか失敗したかを示す。 
[0047]認証フレーム２２０を受信した後、ＳＴＡ１０６は、ＡＰ１０４と関連付けるために、アソシエーション要求２２５をＡＰ１０４に送信し得る。アソシエーション要求２２５は、ＥＡＰＯＬフレームであり得、キー確認（key confirmation）を含み得る。アソシエーションが成功の場合、ＡＰ１０４はアソシエーション応答２３０を応答し得る。アソシエーション応答２３０は、ＥＡＰＯＬフレームであり得、キー確認および／またはグループキー配布（group-key distribution）を含み得、それはトラフィックを暗号化するために使用されることができる。一旦、ＳＴＡ１０６がＡＰ１０４に関連付けられると、データ保護２３５がＳＴＡ１０６とＡＰ１０４との間の通信のために適用される。
【００３７】
[0048]上記で論述されたように、発見フレームの周期的な送信は、アクセスポイントの範囲内で移動する局がアクセスポイントとの通信を確立することを可能にし得る。しかしながら、発見フレームはいくらかの頻度で送信され得るため、ネットワーク容量の実質的な部分はそれらの送信によって消費され得る。従って、それらの送信に関連付けられたネットワークオーバーヘッドを減少させるために発見フレームのサイズを減少させることは、有益であり得る。
【００３８】
[0049]図３は、発見フレームのメッセージフォーマットである。発見フレーム３００は、高速イニシャルリンクセットアップ発見フレーム制御フィールド３０２、タイムスタンプフィールド３０４、ビーコン間隔フィールド３０６、およびサービスセット識別子（ＳＳＩＤ）３０８を含む。図２で示される発見フレーム２０２は、いくつかの態様において、発見フレーム３００のフォーマットに適合し得る。発見フレーム制御フィールド３０２の様々な実施形態は、図４，５に関して説明される。タイムスタンプフィールド３０４は、時間基準を記憶し得る。ビーコン間隔フィールド３０６は、フレーム３００が送信される周期を示し得る。サービスセット識別子（ＳＳＩＤ）３０８は、フレーム３００を送信するデバイスのためのデータサービスセット識別子を記憶し得る。
【００３９】
[0050]発見フレーム３００は、全二重（ＦＤ：full-duplex）能力フィールド３１０、アクセスポイント次ターゲット(next target)ビーコン送信時間（ＴＢＴＴ）オフセット（ＡＮＴＯ）フィールド３１２、アクセスポイント構成シーケンス数フィールド（ＡＰ−ＣＳＮ）３１４、アクセスネットワークオプションフィールド３１５、一次チャネルフィールド３１６、チャネル中心周波数セグメント１フィールド３１８、およびＲＳＮ情報フィールド３２０のうちの１つまたは複数をオプションで含み得る。
【００４０】
[0051]図４は、図３に示された発見フレーム制御フィールド３０２のメッセージフォーマットである。発見フレーム制御フィールド３０２ａは、長さフィールド４０２、能力存在インジケータフィールド４０４、ＡＮＴＯ存在インジケータフィールド４０６、ＡＰ−ＣＳＮ存在インジケータフィールド４０８、アクセスネットワークオプション（ＡＮＯ）存在インジケータフィールド４１０、チャネル中心周波数セグメント１（ＣＣＦＳ−１）存在フィールド４１２、一次チャネル存在インジケータフィールド４１４、ロバストセキュアネットワーク（ＲＳＮ）情報存在フィールド４１６、および５予約ビットフィールド４１８を含む。長さフィールド４０２は、ＳＳＩＤフィールド３０８の長さを示し得る。５ビットの長さフィールド４０２は、オクテットのユニットにおける、フレーム中のＳＳＩＤフィールド３０８の長さを示す。このフィールドの値プラス１が、ＳＳＩＤフィールドの長さに等しい。能力存在インジケータフィールド４０４は、長さ１ビットである。１の値は、ＦＤ能力フィールド３１０がフレーム３００に存在することを示す。０の値は、ＦＤ能力フィールド３１０がフレーム３００に存在しないことを示す。ＡＮＴＯ存在インジケータフィールド４０６は、長さ１ビットである。１の値は、ＡＮＴＯ存在インジケータフィールド４０６が、ＡＮＴＯフィールド３１２がフレーム３００に存在することを示すことを示し、そうではなく、０の値は、ＡＮＴＯフィールド３１２がフレーム３００に存在しないことを示す。ＡＰ−ＣＳＮ存在インジケータフィールド４０８は、アクセスポイント構成シーケンス数（ＡＰ−ＣＳＮ）フィールド３１４がフレーム３００に存在するかどうかを示す。１の値はＡＰ−ＣＳＮフィールド３１４がフレーム３００に存在することを示し、そうではなく、０の値はＡＰ−ＣＳＮフィールド３１４がフレーム３００に存在しないことを示す。ＡＮＯ存在インジケータフィールド４１０は、アクセスネットワークオプション（ＡＮＯ）フィールド３１５がフレーム３００にあるかどうかを示す。１の値はアクセスネットワークオプション（ＡＮＯ）フィールド３１５がフレーム３００に存在することを示し、そうではなく、０の値はアクセスネットワークオプション（ＡＮＯ）フィールド３１５がフレーム３００に存在しないことを示す。チャネル中心周波数セグメント１（ＣＣＦＳ−１）存在フィールド４１２は、チャネル中心周波数セグメント１フィールド３１８がフレーム３００に存在するかどうかを示す。１の値はチャネル中心周波数セグメント１フィールド３１８がフレーム３００に存在することを示し、そうではなく、０の値はチャネル中心周波数セグメント１フィールド３１８がフレーム３００に存在しないことを示す。一次チャネル存在インジケータフィールド４１４は、一次チャネルフィールド３１６がフレーム３００に存在するかどうかを示す。１の値は一次チャネルフィールド３１６がフレーム３００に存在することを示し、そうではなく、０の値は一次チャネルフィールド３１６がフレーム３００に存在しないことを示す。ＲＳＮ情報存在フィールド４１６は、ＲＳＮ情報フィールド３２０がフレーム３００に存在するかどうかを示す。１の値はＲＳＮ情報フィールド３２０がフレーム３００に存在することを示し、そうではなく、０の値はＲＳＮ情報フィールド３２０がフレーム３００に存在しないことを示す。
【００４１】
[0052]図５は、強化発見フレーム制御フィールド３０２ｂである。強化発見フレーム制御フィールド３０２ｂは、サービスセット識別子情報フィールド５０２、能力存在インジケータフィールド５０４、ＡＮＴＯ存在インジケータフィールド５０６、ＡＰ−ＣＳＮ存在インジケータフィールド５０８、アクセスネットワークオプション（ＡＮＯ）存在インジケータフィールド５１０、チャネル中央周波数セグメント１（ＣＣＦＳ−１）存在フィールド５１２、一次チャネル存在インジケータフィールド５１４、ロバストセキュアネットワーク（ＲＳＮ）情報存在フィールド５１６、サービスセット識別子タイプインジケータフィールド５１８、および４予約ビット５２０を含む。能力存在インジケータフィールド５０４、ＡＮＴＯ存在インジケータフィールド５０６、ＡＰ−ＣＳＮ存在インジケータフィールド５０８、アクセスネットワークオプション（ＡＮＯ）存在インジケータフィールド５１０、チャネル中央周波数セグメント１（ＣＣＦＳ−１）存在フィールド５１２、一次チャネル存在インジケータフィールド５１４、およびロバストセキュアネットワーク（ＲＳＮ）情報存在フィールド５１６のそれぞれは、発見フレーム制御フィールド３０２ａにおける対応するフィールドと同様の機能を実行する。
【００４２】
[0053]いくつかの態様において、ＳＳＩＤタイプインジケータフィールド５１８は、図３の発見フレーム３００のフィールド３０８に提供されるサービスセット識別子のフォーマットを示し得る。フィールド３０８に提供されるサービスセット識別子のフォーマットを示すために、ＳＳＩＤタイプインジケータフィールド５１８がどのように使用されるかは、実施形態によって変化し得る。いくつかの態様において、ＳＳＩＤタイプインジケータフィールド５１８は、以下の表１によって説明されるように使用される。
【００４３】
【表１】
2019036971.tif 000003
【００４４】
[0054]いくつかの態様において、ＳＳＩＤタイプインジケータフィールド５１８の値とＳＳＩＤ情報フィールド５０２のＢ０との組み合わせによって示される圧縮ＳＳＩＤは、全３２バイトＳＳＩＤのハッシュであり得る。いくつかの態様において、ハッシュは、３２バイトのＳＳＩＤの４オクテット周期的冗長検査値であり得る。
【００４５】
[0055]いくつかの他の態様において、ＳＳＩＤタイプインジケータフィールド５１８の使用は、以下の表２において示されるものに従い得る。
【００４６】
【表２】
2019036971.tif 000004
【００４７】
[0056]いくつかの他の態様において、ＳＳＩＤタイプインジケータフィールド５１８の使用は、以下の表３において示されるものに従い得る。
【００４８】
【表３】
2019036971.tif 000005
【００４９】
[0057]いくつかの他の態様において、ＳＳＩＤタイプインジケータフィールド５１８の使用は、以下の表４において示されるものに従い得る。
【００５０】
【表４】
2019036971.tif 000006
【００５１】
[0058]表１と比較すると、表４は、タイプインジケータフィールド５１８が特定の値を有する場合に、固定された長さの圧縮ＳＳＩＤをインプリメントし得る簡易化した解決を説明する。
【００５２】
[0059]当業者は、表１−４において提供された値が単に例示的であり、異なる特有の値を使用することができる他のインプリメンテーションが考えられることを理解するだろう。例えば、表１−４におけるＳＳＩＤタイプインジケータフィールド５１８のために示された値は、いくつかのインプリメンテーションにおいて逆にされる（reversed）だろう。さらに、いくつかの態様において、強化発見フレーム制御フィールド３０２ｂにおけるフィールドのそれぞれの順序位置および／またはサイズは、図５に示された例示的なインプリメンテーションから変わり得る。
ＡＰおよび／またはＳＴＡのコンポーネント
[0060]図６は、図１のワイヤレス通信システム１００内で用いられることができる例示的なワイヤレスデバイス６０２の機能ブロック図を示す。ワイヤレスデバイス６０２は、ここで説明される様々な方法をインプリメントするように構成されることができるデバイスの例である。例えば、ワイヤレスデバイス６０２は、ＡＰ１０４および／またはＳＴＡ１０６の１つを含むことができる。
【００５３】
[0061]ワイヤレスデバイス６０２は、ワイヤレスデバイス６０２の動作を制御するように構成された１つ以上のプロセッサユニット６０４を含むことができる。プロセッサユニット６０４の１つまたは複数は、中央処理ユニット（ＣＰＵ）および／またはプロセッサとしてひとまとめにして称されることができる。読取専用メモリ（ＲＯＭ）およびランダムアクセスメモリ（ＲＡＭ）の１つ以上を含み得るメモリ６０６は、命令およびデータをプロセッサユニット６０４に提供する。メモリ６０６の部分はまた、不揮発性ランダムアクセスメモリ（ＮＶＲＡＭ）を含むことができる。プロセッサユニット６０４は、メモリ６０６内に記憶されたプログラム命令に基づいて、論理および演算動作を実行するように構成されることができる。プロセッサ６０４は、例えばメモリ６０６における実行可能な命令とともに、ここで説明される１つ以上の方法をインプリメントするように構成されることができる。
【００５４】
[0062]ワイヤレスデバイス６０２がＡＰとして使用される、またはインプリメントされるとき、プロセッサ６０４は、ＳＴＡによるＡＰの発見およびＳＴＡとのリンクの生成を促進するように構成されることができる。プロセッサ６０４は、ＡＰ資源についてコンテンションを減少させるようにさらに構成されることができる。例えば、アクセスを要求するＳＴＡの大容量は、パケットの衝突またはパケットのドロップをもたらす。接続を促進し、資源の利用を改善するための様々な処理が、ここでさらに詳細に説明される。
【００５５】
[0063]ワイヤレスデバイス６０２がＳＴＡとして使用される、またはインプリメントされるとき、プロセッサ６０４は、ＡＰの発見およびＡＰとのリンクの生成を促進するように構成されることができる。プロセッサ６０４は、ＡＰ資源についてコンテンションを減少させるようにさらに構成されることができる。例えば、パッシブリスニング（passive listening）を通して、ＳＴＡは、ＡＰからの情報を直接要求することなく、ＡＰとのリンクを確立するために必要とされる情報を取得することができる。これと、接続を促進し、資源の利用を改善するための様々な多の処理とは、以下でさらに詳細に説明される。
【００５６】
[0064]プロセッサユニット６０４は、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェアコンポーネント、有限ステートマシン専用ハードウェア、または計算または情報の他の操作を実行することができる任意の他の適したエンティティの任意の組み合わせでインプリメントされることができる。プロセッサユニット６０４がＤＳＰを含むインプリメンテーションにおいて、ＤＳＰは送信のためのパケット（例えば、データパケット）を生成するように構成されることができる。いくつかの態様において、パケットは、物理レイヤーデータユニット（PPDU）を含むことができる。
【００５７】
[0065]ワイヤレスデバイス６０２はまた、ソフトウェアを記憶するための機械可読媒体も含むことができる。処理ユニット６０４は、ソフトウェアを記憶するための１つ以上の機械可読媒体も含むことができる。ソフトウェアは、ソフトウェア、ファームウェア、ミドルウェア、マイクロコード、ハードウェア説明言語、またはそれ以外として称されるかどうかにかかわらず、任意のタイプの命令を意味するように広く解釈されるべきである。命令は、コード（例えば、ソースコードフォーマット、２進コードフォーマット、実行可能コードフォーマット、またはコードの任意の他の適したフォーマット）を含むことができる。命令は、プロセッサ６０４によって実行されるとき、ここで説明される様々な機能をワイヤレスデバイス６０２に実行させる。
【００５８】
[0066]ワイヤレスデバイス６０２は、ワイヤレスデバイス６０２とリモートロケーションとの間のデータの送信および受信のそれぞれを可能にするために、送信機６１０および受信機６１２を含み得る。送信機６１０および受信機６１２は、トランシーバ６１４に組み合わせられることができる。アンテナ６１６は、ハウジング６０８に取り付けられ、トランシーバ６１４に電気的に結合されることができる。ワイヤレスデバイス６０２はまた、（示されていない）多数の送信機、多数の受信機、多数のトランシーバ、および／または多数のアンテナを含むことができる。
【００５９】
[0067]送信機６１０は、パケットおよび／または信号をワイヤレスに送信するように構成されることができる。例えば、送信機６１０は、上記で論述されたように、プロセッサユニット６０４によって生成される異なるタイプのパケットを送信するように構成されることができる。パケットは、送信機６１０に利用可能になる。例えば、プロセッサユニット６０４は、メモリ６０６にパケットを記憶することができ、送信機６１０はパケットを取り出す（retrieve）ように構成されることができる。一旦、送信機がパケットを取り出すと、送信機６１０は、アンテナ６１６を介してＳＴＡ１０６のワイヤレスデバイス６０２にパケットを送信する。
【００６０】
[0068]ＳＴＡ１０６のワイヤレスデバイス６０２におけるアンテナ６１６は、送信されたパケット／信号をワイヤレスに検出する。ＳＴＡ１０６の受信機６１２は、検出されたパケット／信号を処理し、それらをプロセッサユニット６０４に利用可能にするように構成されることができる。例えば、ＳＴＡ１０６の受信機６１２は、メモリ６０６にパケットを記憶することができ、プロセッサユニット６０４はパケットを取り出すように構成されることができる。
【００６１】
[0069]ワイヤレスデバイス６０２はまた、トランシーバ６１４によって受信された信号のレベルを検出し、定量化する試みにおいて使用されることができる信号検出器６１８を含むことができる。信号検出器６１８は、総エネルギー、シンボルあたりのサブキャリアごとのエネルギー、電力スペクトル密度、および他の信号のような信号を検出することができる。ワイヤレスデバイス６０２はまた、信号を処理する際の使用のために、デジタル信号プロセッサ（ＤＳＰ）６２０を含むことができる。ＤＳＰ６２０は、送信のためのパケットを生成するように構成されることができる。いくつかの態様では、パケットは、物理レイヤーデータユニット（PPDU）を含むことができる。
【００６２】
[0070]いくつかの態様において、ワイヤレスデバイス６０２は、ユーザインタフェース６２２をさらに含むことができる。ユーザインタフェース６２２は、キーパッド、マイクロフォン、スピーカ、および／またはディスプレイを含むことができる。ユーザインタフェース６２２は、ワイヤレスデバイス６０２のユーザに情報を伝えるおよび／またはユーザからインプットを受信する任意のエレメントまたはコンポーネントを含むことができる。ワイヤレスデバイス６０２はまた、ワイヤレスデバイス６０２に含まれるコンポーネントの１つ以上を囲むハウジング６０８を含むことができる。
【００６３】
[0071]ワイヤレスデバイス６０２の様々なコンポーネントは、バスシステム６２６によってともに結合されることができる。バスシステム６２６は、例えば、データバスに加えて電力バス、制御信号バス、およびステータス信号バスと同様に、データバスを含むことができる。当業者は、ワイヤレスデバイス６０２のコンポーネントが、いくつかの他のメカニズムを使用して互いに結合される、受け取る、インプットを提供することができることを理解するであろう。
【００６４】
[0072]多くの別々のコンポーネントが図６に例示されるが、当業者は、１つ以上のコンポーネントは、組み合わせられる、または共通にインプリメントされることができるということを認識するであろう。例えば、プロセッサユニット６０４は、プロセッサユニット６０４に関して上記に説明された機能性をインプリメントするためだけでなく、信号検出器６１８に関して上記に説明された機能性をインプリメントするためにも使用されることができる。さらに、図６に例示されたコンポーネントのそれぞれは、複数の別々のエレメントを使用してインプリメントされることができる。
【００６５】
[0073]図７は、図１のワイヤレス通信システムにおけるデータを通信するための処理７００のフローチャートである。いくつかの態様において、上記で論述されたように、処理７００は、デバイス６０２によって実行され得る。例えば、いくつかの態様において、メモリ６０６は、プロセッサ６０４が処理７００に関して以下で説明される機能の１つ以上を実行するように構成する命令を記憶し得る。実施形態において、処理７００は、ＡＰ１０４のようなＡＰによって実行され得る。
【００６６】
[0074]上記で論述されたように、高速イニシャルリンクセットアップ（ＦＩＬＳ）発見フレームは、アクセスポイントの高速発見を保証するためにワイヤレス媒体上で頻繁に送信され得るため、これらの送信はワイヤレス媒体の利用可能な容量の実質的な部分を消費し得る。従って、ＦＩＬＳ発見フレームのサイドを減少させることは、単一のＦＩＬＳ発見フレームの比較的小さいサイズの縮小によって提案され得るもの以上に十分に、ワイヤレス媒体における利用可能な容量を実質的に改善することができる。
【００６７】
[0075]ブロック７０２では、フレームが生成される。フレームは、アクセスポイントのサービスセット識別子の第１のインジケーションと、第１のインジケーションのフォーマットの第２のインジケーションと、を含むように、生成される。いくつかの態様において、フレームは、図５に示される、強化発見フレーム制御フィールド３０２ｂのフォーマットに実質的に従うＦＩＬＳ発見フレーム制御フィールド３０２をもつ、図３に示される発見フレーム３００のフォーマットに従うように生成され得る。これらの態様において、第１のインジケーションは、ＳＳＩＤフィールド３０８の１つ以上のビットにおいて生成され得る。これらの態様において、第２インジケーションは、図５に示される、ＳＳＩＤタイプインジケータフィールド５１８の１つ以上のビットにおいて生成され得る。
【００６８】
[0076]いくつかの態様において、第２のインジケータは、第１のインジケーションが３２バイトのサービスセット識別子であることを示すために生成される。例えば、上記の表１および表２で示されるように、いくつかの態様において、ＳＳＩＤタイプインジケータフィールド５１８は、３２バイトのサービスセット識別子が第１のインジケーションにおいて提供されることを示すために、０に設定され得、それは図３に示されるＳＳＩＤフィールド３０８の内容であり得る。これらの態様において、フレームは、いくつかの態様において、図３のフィールド３０８に、３２バイトのサービスセット識別子を含むように、生成される。
【００６９】
[0077]いくつかの態様において、第２のインジケータは、第１のインジケーションが３２バイトのサービスセット識別子のハッシュであることを示すために生成される。例えば、上記の表１および表２で示されるように、ＳＳＩＤタイプインジケータフィールド５１８は、いくつかの態様において、３２オクテット未満の長さの圧縮ＳＳＩＤがフィールド３０８に提供されることを示すために、１の値に設定され得る。いくつかの態様において、第２のインジケーションは、第１のインジケータが３２バイトのサービスセット識別子に基づく４オクテット周期的冗長検査値であることを示し得る。これらの態様において、フレームは、３２バイトのサービスセット識別子のハッシュを含むために、生成される。いくつかの態様において、ハッシュは、図３に示される、フレーム３００のフィールド３０８において提供される。当業者は、この開示のレビューによって、ブロック７０２において生成されたフレームが上記の表１−４において開示された仕様に従い得ることを理解すべきである。
【００７０】
[0078]いくつかの態様において、フレームは、当該フレームを送信するデバイスの存在を示すために、生成される。例えば、いくつかの態様において、フレームは、高速イニシャルリンクセットアップ発見フレームであり得る。いくつかの態様において、ブロック７０２は、図６に示されるプロセッサ６０４によって実行され得る。いくつかの態様において、ブロック７０２は、プロセッサ６０４、信号検出器６１８、送信機６１０、受信機６１２、および／またはＤＳＰ６２０の１つ以上によって実行され得る。いくつかの態様において、フレームを生成することは、生成されたフレームを記憶するために利用可能および未使用であるメモリ６０６の部分を決定することを含み得る。フレームのためのメモリ６０６内の開始位置はまた、決定され得る。その後、メモリ６０６の部分は、上記で説明されたようにフレームを表すためのメモリ部分のビット値を設定するために、初期化され、または書き込まれ得る。
【００７１】
[0079]ブロック７０４では、生成されたフレームが送信される。いくつかの態様において、フレームは、周期的に、例えば１００、２００、３００、４００、または５００ミリ秒毎に、生成され、送信され得る。いくつかの態様において、フレームは、１００ミリ秒毎に１度よりも多い頻度で生成され、送信される。いくつかの態様において、ブロック７０４は、図６に示される送信機６１０によって実行され得る。いくつかの態様において、ブロック７０４は、プロセッサ６０４、信号検出器６１８、送信機６１０、受信機６１２、および／またはＤＳＰ６２０の１つ以上によって実行され得る。いくつかの態様において、生成されたフレームを送信することは、フレームが送信可能であるということを送信機６１０にシグナリングすることを含み得る。例えば、いくつかの態様において、プロセッサ６０４は、メモリ６０６内のフレームの開始ロケーションを示すために、送信機６１０の１つ以上のレジスタにデータを書き込み得る。送信機６１０の別のレジスタは、送信が示された開始ロケーションから実行されるべきであることを示すために、書き込まれ得る。代わりに、いくつかの態様において、プロセッサ６０４は、フレームの送信を始めるために、送信機６１０への割込み信号を生成し得る。
【００７２】
[0080]図８は、図１のワイヤレス通信システムにおけるデータを通信するための処理８００のフローチャートである。実施形態において、処理８００は、任意のＳＴＡ１０６のような、ＳＴＡによって実行され得る。いくつかの態様において、プロセッサ８００は、ワイヤレスデバイス６０２によって実行され得る。例えば、いくつかの態様において、メモリ６０６に記憶された命令は、プロセッサユニット６０４が処理８００に関して以下で論述される機能の１つ以上を実行するように構成し得る。
【００７３】
[0081]ブロック８０２において、フレームは、アクセスポイントから受信される。フレームは、アクセスポイントのサービスセット識別子の第１のインジケーションおよび第１のインジケーションのフォーマットの第２のインジケーションを含む。いくつかの態様において、ブロック８０２で受信されたフレームは、図３で示されるフレーム３００のフォーマットに実質的に従う。いくつかの態様において、フレーム３００の発見フレーム制御フィールド３０２は、図５に示される強化発見フレーム制御フィールド３０２ｂフォーマットに従う。例えば、いくつかの態様において、第２のインジケーションは、ＳＳＩＤタイプインジケータフィールド５１８に記憶され得る。第１のインジケーションは、フレーム３００に示されるＳＳＩＤフィールド３０８に記憶され得る。当業者は、この開示をレビューすれば、さまざまなインプリメンテーションにおいて、ブロック８０２において受信されたフレームが表１−４に関して上記で開示された仕様のいずれかに従い得ることを理解すべきである。
【００７４】
[0082]いくつかの態様において、ブロック８０２は、図６の受信機６１２によって実行される。いくつかの他の態様において、ブロック８０２は、プロセッサ６０４、信号検出器６１８、送信機６１０、受信機６１２、および／またはＤＳＰ６２０の１つ以上によって実行され得る。いくつかの態様において、アクセスポイントからフレームを受信することは、フレームを備えるビット値のシーケンスを決定するために、アンテナ６１６を介したワイヤレス媒体からの信号を復号する受信機６１２を含み得る。そして、フレームを受信することは、受信機６１２内部のメモリのような受信機６１２によって制御されるメモリスペースからのビット値を、プロセッサ６０４によってアクセスされ得るメモリ６０６のような他のメモリにコピーすることをさらに含み得る。
【００７５】
[0083]ブロック８０４では、第１のインジケーションは、アクセスポイントのサービスセット識別子を決定するために、第２のインジケーションに基づいて復号される。例えば、表１および２に関して上記で論述されるように、ＳＳＩＤタイプインジケータフィールド５１８は、受信されたフレームが全３２バイトサービスセットフィールドを含むかどうか、または圧縮サービスセット識別子が受信されたフレームに含まれるかどうか、を決定するために、復号される。従って、いくつかの態様において、第１のインジケーションの長さ（例えば、いくつかの態様におけるフレーム３００のＳＳＩＤフィールド３０８に記憶されるＳＳＩＤ）は、第２のインジケーションの長さに基づいて決定される。その後、第１のインジケーションは、決定された長さに基づいて復号される。
【００７６】
[0084]例えば、サービスセット識別子タイプインジケータフィールド５１８が第１の値である場合、第１のインジケータ（例えば、いくつかの態様におけるＳＳＩＤフィールド３０８）は、３２バイトのサービスセット識別子として復号され得る。
サービスセット識別子タイプインジケータフィールド５１８が第２の値を有する場合、第１のインジケータ（例えば、いくつかの態様におけるＳＳＩＤフィールド３０８）は、アクセスポイントのＳＳＩＤのハッシュとして復号され得る。第２のインジケータが第２の値を有する場合、ハッシュは、３２バイト未満の所定のハッシュの長さを使用して復号され得る。いくつかの態様において、所定の長さは、４バイトである。いくつかの態様において、ＳＳＩＤのハッシュは、アクセスポイントのＳＳＩＤの４バイト周期的冗長検査値として復号される。上記の表１によって説明されたように、いくつかの態様において、どのように第１のインジケーションが復号されるかは、また、ＳＳＩＤ情報フィールド５０２の１つ以上のビットに基づき得る。
【００７７】
[0085]いくつかの態様において、ブロック８０４は、図６のプロセッサ６０４によって実行される。いくつかの態様において、ブロック８０２は、プロセッサ６０４、信号検出器６１８、送信機６１０、受信機６１２、および／またはＤＳＰ６２０の１つ以上によって実行され得る。
【００７８】
[0086]ブロック８０６において、処理８００を実行するデバイスは、アクセスポイントの所定のサービスセット識別子に基づいてアクセスポイントと通信する。例えば、いくつかの態様において、処理８００を実行するデバイスは、復号されたサービスセット識別子に基づいてアクセスポイントと関連付け得る（アソシエートし得る）。アクセスポイントと関連付けることは、アソシエーション要求メッセージをアクセスポイントに送信することを含み得、アソシエーション要求メッセージは復号されたサービスセット識別子を含む。アクセスポイントと関連付けることはまた、アクセスポイントからのアソシエーション応答メッセージを受信することを含み得る。その後、アソシエーション結果またはステータスは、アクセスポイントとのアソシエーションが成功か否かを決定するために、アソシエーション応答メッセージから復号され得る。
【００７９】
[0087]いくつかの態様において、決定されたサービスセット識別子は、ブロック８０６におけるアクセスポイントとの１つ以上のメッセージ交換に含まれ得る。いくつかの態様において、（上記で参照された）アクセスポイントのＳＳＩＤのハッシュは、ブロック８０６におけるアクセスポイントとの１つ以上のメッセージ交換に含まれ得る。いくつかの態様において、ブロック８０４は、図６のプロセッサ６０４によって実行され得る。いくつかの他の態様において、ブロック８０２は、プロセッサ６０４、信号検出器６１８、送信機６１０、受信機６１２、および／またはＤＳＰ６２０の１つ以上によって実行され得る。
【００８０】
[0088]ここで使用されるように、「決定すること」という用語は、幅広いアクションを包含する。例えば、「決定すること」は、計算すること、コンピュータで計算すること、処理すること、抽出すること、調査すること、検索すること（例えば、テーブル、データベース、または別のデータ構造で検索すること）、確認すること、等を含み得る。また、「決定すること」は、受信すること（例えば、情報を受信すること）アクセスすること（例えば、メモリ内のデータにアクセスすること）を含み得る。また、「決定すること」は、解決すること、選択すること、選ぶこと、確立すること等を含み得る。さらに、ここで使用される「チャネル幅」は、ある態様において、帯域幅を包含し得る、または帯域幅として称され得る。
【００８１】
[0089]ここで使用されるように、アイテムのリスト「のうちの少なくとも１つ」というフレーズは、単一の構成要素（members）を含む、それらのアイテムの任意の組み合わせに関連する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００８２】
[0090]上記で説明された方法の様々な動作は、様々なハードウェアおよび／またはソフトウェアコンポーネント、回路、および／またはモジュールのような、動作を実行することが可能である任意の適した手段によって実行され得る。一般的に、図面に例示された任意の動作は、それらの動作を実行することができる対応する機能的手段によって実行され得る。
【００８３】
[0091]本開示に関連して説明された、さまざまな例示的な論理ブロック、モジュール、および回路は、ここで説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、またはそれらの任意の組み合わせで、インプリメントまたは実行され得る。汎用プロセッサは、マイクロプロセッサであり得るが、代わりとして、プロセッサは、任意の商業的に利用可能なプロセッサ、コントローラ、マイクロコントローラ、またはステートマシン（state machine）であり得る。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、任意の他のそのような構成としてインプリメントされ得る。
【００８４】
[0092]１つ以上の態様において、説明された機能は、ハードウェア、ソフトウェア、ファームウェア、またはそれらの任意の組み合わせにおいてインプリメントされ得る。ソフトウェアにおいてインプリメントされる場合、機能は、コンピュータ可読媒体上における１つ以上の命令またはコードとして記憶または送信され得る。コンピュータ可読媒体は、コンピュータ記憶媒体と１つの場所から別の場所へのコンピュータプログラムの転送を容易にする任意の媒体を含む通信媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。また、任意の接続は、厳密にはコンピュータ可読媒体と言われる。例えば、ソフトウェアがウェブサイト、サーバ、または他のリモートソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれている。ディスク（disk）およびディスク（disc）は、ここで使用されるように、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびブルーレイディスク（disc）を含み、ここで、ディスク（disk）は通常、磁気的にデータを再生し、その一方でディスク（disc）は、レーザーを用いて光学的にデータを再生する。従って、いくつかの態様において、コンピュータ可読媒体は、非一時的コンピュータ可読媒体（例えば、有形媒体）を備え得る。加えて、いくつかの態様において、コンピュータ可読媒体は、一時的なコンピュータ可読媒体（例えば、信号）を備え得る。上記の組み合わせはまた、コンピュータ可読媒体の範囲内に含まれるべきである。
【００８５】
[0093]ここで開示される方法は、説明された方法を達成するための１つ以上のステップまたはアクションを備える。方法のステップおよび／またはアクションは、特許請求の範囲から逸脱することなく互いに置き換えられ得る。言い換えれば、ステップまたはアクションの特有の順序が指定されない限り、特有のステップおよび／またはアクションの順序および／または使用は、特許請求の範囲から逸脱することなしに修正され得る。
【００８６】
[0094]説明された機能は、ハードウェア、ソフトウェア、ファームウェア、またはこれらの任意の組み合わせでインプリメントされ得る。ソフトウェアにおいてインプリメントされる場合、機能は、1つ以上の命令として、コンピュータ可読媒体上で記憶され得る。記憶媒体は、コンピュータによってアクセスされることができる任意の入手可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。ディスク（disk）およびディスク（disc）は、ここで使用されるように、コンパクトディスク（disc）（ＣＤ）、レーザーディスク（登録商標）（disc）、光学ディスク（disc）、デジタル多用途ディスク（disc)（ＤＶＤ）、フロッピーディスク（disk）、およびブルーレイ（登録商標）ディスク（disc）を含み、ここにおいてディスク（disｋ）が通常、磁気的にデータを再生する一方で、ディスク（disc）は、レーザーを用いて光学的にデータを再生する。
【００８７】
[0095]従って、ある態様は、ここで提示された動作を遂行するためのコンピュータプログラム製品を備え得る。例えば、そのようなコンピュータプログラム製品は、その上に命令が記憶（および／または符号化）されたコンピュータ可読媒体を備え得、命令は、ここで説明された動作を実行するために１つ以上のプロセッサによって実行可能である。ある態様のために、コンピュータプログラム製品は、パッケージ材料を含み得る。
【００８８】
[0096]ソフトウェアまたは命令はまた、送信媒体を越えて送信され得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、この同軸ケーブル、光ファイバーケーブル、ツイストペア、ＤＳＬ、または赤外線、無線、およびマイクロ波のようなワイヤレス技術は、媒体の定義に含まれる。
【００８９】
[0097]さらに、ここで説明された方法および技術を実行するためのモジュールおよび／または他の適切な手段が、ダウンロードされることができること、および／または、そうでなければ、ユーザ端末および／または基地局によって、適用可能に得られることができることが理解されるべきである。例えば、そのようなデバイスは、ここで説明された方法を実行するための手段の転送を容易にするためにサーバに結合されることができる。代わりに、ここで説明された様々な方法は、デバイスに記憶手段を結合または提供する際にユーザ端末および／または基地局が様々な方法を得ることができるように、記憶手段（例えば、ＲＡＭ、ＲＯＭ、コンパクトディスク（ＣＤ）またはフロッピーディスクのような物理記憶媒体、等）を介して提供されることができる。さらに、ここで説明された方法および技術をデバイスに提供するための任意の他の適した技術が、利用されることができる。
【００９０】
[0098]特許請求の範囲が、上記で例示されたまさにその構成およびコンポーネントに限定されないことが、理解されるべきである。様々な修正、変更、および変形が、上記に説明された方法および装置の配置、動作および詳細において、特許請求の範囲から逸脱することなく行われ得る。
【００９１】
[0099]前述の内容が本開示の態様に向けられる一方、本開示の他のおよびさらなる態様は、その基本的な範囲から逸脱することなく考案されることがあり得、その範囲は、次の特許請求の範囲によって決定される。
【図１】
2019036971.tif 000007
【図２】
2019036971.tif 000008
【図３】
2019036971.tif 000009
【図４】
2019036971.tif 000010
【図５】
2019036971.tif 000011
【図６】
2019036971.tif 000012
【図７】
2019036971.tif 000013
【図８】
2019036971.tif 000014
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
ワイヤレスネットワーク上で通信する方法であって、
アクセスポイントから、高速イニシャルリンクセットアップ発見フレームを受信することと、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記第２のインジケーションに基づいて前記第１のインジケーションを復号することと、前記第２のインジケーションに基づいて、前記第１のインジケーションは、前記周期的冗長検査値として復号され、前記周期的冗長検査値は、前記アクセスポイントの前記サービスセット識別子として決定され、
前記周期的冗長検査値に基づいて、前記アクセスポイントに関連付けることと、
を備える、方法。
【請求項２】
ワイヤレスネットワーク上で通信するための装置であって、
アクセスポイントから、高速イニシャルリンクセットアップ発見フレームを受信するように構成される受信機と、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
プロセッサと、を備え、前記プロセッサは、
前記第２のインジケーションに基づいて前記第１のインジケーションを復号し、前記第２のインジケーションに基づいて、前記第１のインジケーションは、前記周期的冗長検査値として復号され、前記周期的冗長検査値は、前記アクセスポイントの前記サービスセット識別子として決定され、
前記周期的冗長検査値に基づいて、前記アクセスポイントに関連付けるように構成される、
装置。
【請求項３】
ワイヤレスネットワーク上で通信するための装置であって、
アクセスポイントから、高速イニシャルリンクセットアップ発見フレームを受信するための手段と、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記第２のインジケーションに基づいて前記第１のインジケーションを復号するための手段と、前記第２のインジケーションに基づいて、前記第１のインジケーションは、前記周期的冗長検査値として復号され、前記周期的冗長検査値は、前記アクセスポイントの前記サービスセット識別子として決定され、
前記周期的冗長検査値に基づいて、前記アクセスポイントに関連付けるための手段と、
を備える、装置。
【請求項４】
実行されるとプロセッサに、ワイヤレスネットワーク上で通信させる命令を備える非一時的なコンピュータ可読記憶媒体であって、
アクセスポイントから、高速イニシャルリンクセットアップ発見フレームを受信し、前記フレームは、
前記アクセスポイントのサービスセット識別子の周期的冗長検査値の第１のインジケーションと、前記周期的冗長検査値は、長さが４オクテットである、
前記周期的冗長検査値の前記第１のインジケーションのフォーマットの第２のインジケーションと、
を備え、
前記第２のインジケーションに基づいて前記第１のインジケーションを復号し、前記第２のインジケーションに基づいて、前記第１のインジケーションは、前記周期的冗長検査値として復号され、前記周期的冗長検査値は、前記アクセスポイントの前記サービスセット識別子として決定され、
前記周期的冗長検査値に基づいて、前記アクセスポイントに関連付けるために前記アクセスポイントと通信する
ための命令を備える、
非一時的なコンピュータ可読記憶媒体。
【手続補正２】
【補正対象書類名】明細書
【補正対象項目名】００９１
【補正方法】変更
【補正の内容】
【００９１】
[0099]前述の内容が本開示の態様に向けられる一方、本開示の他のおよびさらなる態様は、その基本的な範囲から逸脱することなく考案されることがあり得、その範囲は、次の特許請求の範囲によって決定される。
以下に、本願の出願当初の特許請求の範囲に記載された発明を付記する。
［Ｃ１］
ワイヤレスネットワーク上で通信する方法であって、
アクセスポイントによって、フレームを生成することと、前記フレームは、
前記アクセスポイントのサービスセット識別子の第１のインジケーションと、
前記第１のインジケーションのフォーマットの第２のインジケーションと、
を備え、
前記フレームを送信することと、
を備える、方法。
［Ｃ２］
前記サービスセット識別子に基づいてハッシュを生成することと、
前記ハッシュと等しい値を有するように前記第１のインジケーションを生成することと、
をさらに備える、Ｃ１に記載の方法。
［Ｃ３］
前記フレームがハッシュされたサービスセット識別子を含むことを示す値を有するように前記第２のインジケーションを生成することをさらに備える、Ｃ２に記載の方法。
［Ｃ４］
前記サービスセット識別子をハッシュすることは、前記サービスセット識別子に基づいて４オクテット周期的冗長検査（ＣＲＣ）値を生成することを備える、Ｃ２に記載の方法。
［Ｃ５］
前記サービスセット識別子をハッシュすることは、前記サービスセット識別子を切り詰めることを備える、Ｃ２に記載の方法。
［Ｃ６］
前記切り詰められたサービスセット識別子を示すために、前記フレームの制御フィールド中にサービスセット識別子情報フィールドを生成することをさらに備える、Ｃ５に記載の方法。
［Ｃ７］
前記サービスセット識別子をハッシュすることは、前記ハッシュを前記サービスセット識別子の最初の４オクテットに設定することを備える、Ｃ２に記載の方法。
［Ｃ８］
前記第１のインジケーションに記憶された前記ハッシュが前記サービスセット識別子の最初の４オクテットであることを示すために、前記フレームの制御フィールド中にサービスセット識別子情報フィールドを生成することをさらに備える、Ｃ７に記載の方法。
［Ｃ９］
前記フレームがフルレングスのサービスセット識別子を含むことを示す値を有するように前記第２のインジケーションを生成することと、
前記サービスセット識別子を含むように前記フレームを生成することと、
をさらに備える、Ｃ１に記載の方法。
［Ｃ１０］
前記フレームを周期的に送信することをさらに備える、Ｃ１に記載の方法。
［Ｃ１１］
前記フレームは、５００ミリ秒未満の時間間隔で送信される、Ｃ１０に記載の方法。
［Ｃ１２］
高速イニシャルリンクセットアップ発見フレームとして前記フレームを生成することをさらに備える、Ｃ１に記載の方法。
［Ｃ１３］
ワイヤレスネットワーク上で通信するための装置であって、
アクセスポイントによって、フレームを生成するように構成されるプロセッサと、前記フレームは、
前記アクセスポイントのサービスセット識別子の第１のインジケーションと、
前記第１のインジケーションのフォーマットの第２のインジケーションと、
を備え、
前記フレームを送信するように構成された送信機と、
を備える、装置。
［Ｃ１４］
前記プロセッサは、
前記サービスセット識別子に基づいてハッシュを生成し、
前記ハッシュと等しい値を有するように前記第１のインジケーションを生成するようにさらに構成される、Ｃ１３に記載の装置。
［Ｃ１５］
前記プロセッサは、前記フレームがハッシュされたサービスセット識別子を含むことを示す値を有するように前記第２のインジケーションを生成するようにさらに構成される、Ｃ１４に記載の装置。
［Ｃ１６］
前記サービスセット識別子をハッシュすることは、前記サービスセット識別子に基づいて４オクテット周期的冗長検査（ＣＲＣ）値を生成することを備える、Ｃ１４に記載の装置。
［Ｃ１７］
前記サービスセット識別子をハッシュすることは、前記サービスセット識別子を切り詰めることを備える、Ｃ１４に記載の装置。
［Ｃ１８］
前記プロセッサは、前記切り詰められたサービスセット識別子を示すために、前記フレームの制御フィールド中にサービスセット識別子情報フィールドを生成するようにさらに構成される、Ｃ１７に記載の装置。
［Ｃ１９］
前記サービスセット識別子をハッシュすることは、前記ハッシュを前記サービスセット識別子の最初の４オクテットに設定することを備える、Ｃ１４に記載の装置。
［Ｃ２０］
前記プロセッサは、前記第１のインジケーションに記憶された前記ハッシュが前記サービスセット識別子の最初の４オクテットであることを示すために、前記フレームの制御フィールド中にサービスセット識別子情報フィールドを生成するようにさらに構成される、Ｃ１９に記載の装置。
［Ｃ２１］
前記プロセッサは、
前記フレームがフルレングスのサービスセット識別子を含むことを示す値を有するように前記第２のインジケーションを生成し、
前記サービスセット識別子を含むように前記フレームを生成するようにさらに構成される、Ｃ１３に記載の装置。
［Ｃ２２］
前記プロセッサは、前記フレームを周期的に送信するようにさらに構成される、Ｃ１３に記載の装置。
［Ｃ２３］
前記フレームは、５００ミリ秒未満の時間間隔で送信される、Ｃ２２に記載の装置。
［Ｃ２４］
前記プロセッサは、高速イニシャルリンクセットアップ発見フレームとして前記フレームを生成するようにさらに構成される、Ｃ１３に記載の装置。
［Ｃ２５］
ワイヤレスネットワーク上で通信するための装置であって、
アクセスポイントによって、フレームを生成するための手段と、前記フレームは、
前記アクセスポイントのサービスセット識別子の第１のインジケーションと、
前記第１のインジケーションのフォーマットの第２のインジケーションと、
を備え、
前記フレームを送信するための手段と、
を備える、装置。
［Ｃ２６］
前記サービスセット識別子に基づいてハッシュを生成するための手段と、
前記ハッシュと等しい値を有するように前記第１のインジケーションを生成するための手段をさらに備える、Ｃ２５に記載の装置。
［Ｃ２７］
前記ハッシュを生成するための前記手段は、前記ハッシュを生成するために前記サービスセット識別子を切り詰めるように構成される、Ｃ２６に記載の装置。
［Ｃ２８］
前記切り詰められたサービスセット識別子を示すために、前記フレームの制御フィールド中にサービスセット識別子情報フィールドを生成するための手段をさらに備える、Ｃ２７に記載の装置。
［Ｃ２９］
前記ハッシュを生成するための前記手段は、前記ハッシュを前記サービスセット識別子の最初の４オクテットに設定するように構成される、Ｃ２６に記載の装置。
［Ｃ３０］
前記第１のインジケーションに記憶された前記ハッシュが前記サービスセット識別子の最初の４オクテットであることを示すために、前記フレームの制御フィールド中にサービスセット識別子情報フィールドを生成するための手段をさらに備える、Ｃ２９に記載の装置。
［Ｃ３１］
前記フレームがハッシュされたサービスセット識別子を含むことを示す値を有するように前記第２のインジケーションを生成するための手段をさらに備える、Ｃ２６に記載の装置。
［Ｃ３２］
前記ハッシュを生成するための前記手段は、前記ハッシュを生成するために前記サービスセット識別子に基づいて４オクテット周期的冗長検査（ＣＲＣ）値を生成するように構成される、Ｃ２６に記載の装置。
［Ｃ３３］
前記フレームがフルレングスのサービスセット識別子を含むことを示す値を有するように前記第２のインジケーションを生成するための手段と、
前記サービスセット識別子を含むように前記フレームを生成するための手段と、
をさらに備える、Ｃ２５に記載の装置。
［Ｃ３４］
前記フレームを周期的に送信するための手段をさらに備える、Ｃ２５に記載の装置。
［Ｃ３５］
前記フレームを周期的に送信するための前記手段は、５００ミリ秒未満の時間間隔で、前記フレームを生成および送信するように構成される、Ｃ３４に記載の装置。
［Ｃ３６］
高速イニシャルリンクセットアップ発見フレームとして前記フレームを生成するための手段をさらに備える、Ｃ２５に記載の装置。
［Ｃ３７］
実行されるとプロセッサに、ワイヤレスネットワーク上で通信させる命令を備えるコンピュータ可読記憶媒体であって、
アクセスポイントによって、フレームを生成し、前記フレームは、
前記アクセスポイントのサービスセット識別子の第１のインジケーションと、
前記第１のインジケーションのフォーマットの第２のインジケーションと、
を備え、
前記フレームを送信する、
ための命令を備える、コンピュータ可読記憶媒体。
［Ｃ３８］
前記サービスセット識別子に基づいてハッシュを生成し、
前記ハッシュと等しい値を有するように前記第１のインジケーションを生成する、
ための命令をさらに備える、Ｃ３７に記載のコンピュータ可読記憶媒体。
［Ｃ３９］
前記フレームがハッシュされたサービスセット識別子を含むことを示す値を有するように前記第２のインジケーションを生成するための命令をさらに備える、Ｃ３８に記載のコンピュータ可読記憶媒体。
［Ｃ４０］
前記サービスセット識別子をハッシュすることは、前記サービスセット識別子を切り詰めることを備える、Ｃ３８に記載のコンピュータ可読記憶媒体。
［Ｃ４１］
前記媒体は、前記切り詰められたサービスセット識別子を示すために、前記フレームの制御フィールド中にサービスセット識別子情報フィールドを生成するための命令をさらに備える、Ｃ４０に記載のコンピュータ可読記憶媒体。
［Ｃ４２］
前記ハッシュは、前記ハッシュを前記サービスセット識別子の最初の４オクテットに設定することによって生成される、Ｃ３８に記載のコンピュータ可読記憶媒体。
［Ｃ４３］
前記媒体は、前記第１のインジケーションに記憶された前記ハッシュが前記サービスセット識別子の最初の４オクテットであることを示すために、前記フレームの制御フィールド中にサービスセット識別子情報フィールドを生成するための命令をさらに備える、Ｃ４２に記載のコンピュータ可読記憶媒体。
［Ｃ４４］
前記サービスセット識別子に基づいて前記ハッシュを生成することは、前記サービスセット識別子に基づいて４オクテット周期的冗長検査（ＣＲＣ）値を生成することを備える、Ｃ３８に記載のコンピュータ可読記憶媒体。
［Ｃ４５］
前記フレームがフルレングスのサービスセット識別子を含むことを示す値を有するように前記第２のインジケーションを生成し、
前記サービスセット識別子を含むように前記フレームを生成する
ための命令をさらに備える、Ｃ３７に記載のコンピュータ可読記憶媒体。
［Ｃ４６］
前記フレームを周期的に送信するための命令をさらに備える、Ｃ３７に記載のコンピュータ可読記憶媒体。
［Ｃ４７］
前記フレームは、５００ミリ秒未満の時間間隔で送信される、Ｃ４６に記載のコンピュータ可読記憶媒体。
［Ｃ４８］
高速イニシャルリンクセットアップ発見フレームとして前記フレームを生成するための命令をさらに備える、Ｃ３７に記載のコンピュータ可読記憶媒体。
［Ｃ４９］
ワイヤレスネットワーク上で通信する方法であって、
アクセスポイントから、フレームを受信することと、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号することと、
前記アクセスポイントの前記サービスセット識別子に基づいて前記アクセスポイントと通信することと、
を備える、方法。
［Ｃ５０］
前記第２のインジケーションに基づいて前記第１のインジケーションの長さを決定することと、前記長さに基づいて前記第１のインジケーションを復号することと、をさらに備える、Ｃ４９に記載の方法。
［Ｃ５１］
前記アクセスポイントと通信することは、前記アクセスポイントと関連付けることを含む、Ｃ４９に記載の方法。
［Ｃ５２］
前記アクセスポイントと通信することは、前記アクセスポイントとの１つ以上のメッセージ交換に、前記第１のインジケーションを含めることを備える、Ｃ４９に記載の方法。
［Ｃ５３］
ワイヤレスネットワーク上で通信するための装置であって、
アクセスポイントから、フレームを受信するように構成される受信機と、前記フレームは、
前記アクセスポイントのサービスセット識別子の第１のインジケーションと、
前記第１のインジケーションのフォーマットの第２のインジケーションと、
を備え、
プロセッサと、を備え、前記プロセッサは、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信するように構成される、
装置。
［Ｃ５４］
前記プロセッサは、前記第２のインジケーションに基づいて前記第１のインジケーションの長さを決定し、前記長さに基づいて前記第１のインジケーションを復号するようにさらに構成される、Ｃ５３に記載の装置。
［Ｃ５５］
前記アクセスポイントと通信することは、前記アクセスポイントと関連付けることを含む、Ｃ５３に記載の装置。
［Ｃ５６］
前記アクセスポイントと通信することは、前記アクセスポイントとの１つ以上のメッセージ交換に、前記第１のインジケーションを含めることを備える、Ｃ５３に記載の装置。
［Ｃ５７］
ワイヤレスネットワーク上で通信するための装置であって、
アクセスポイントから、フレームを受信するための手段と、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号するための手段と、
前記アクセスポイントの前記サービスセット識別子に基づいて前記アクセスポイントと通信するための手段と、
を備える、装置。
［Ｃ５８］
前記第２のインジケーションに基づいて前記第１のインジケーションの長さを決定するための手段をさらに備え、
前記第１のインジケーションを復号するための前記手段は、前記長さに基づいて前記第１のインジケーションを復号するように構成される、Ｃ５７に記載の装置。
［Ｃ５９］
通信するための前記手段は、前記第１のインジケーションに基づいて前記アクセスポイントと関連付けるように構成される、Ｃ５７に記載の装置。
［Ｃ６０］
通信するための前記手段は、前記アクセスポイントとの１つ以上のメッセージ交換に、前記第１のインジケーションを含めるように構成される、Ｃ５７に記載の装置。
［Ｃ６１］
実行されるとプロセッサに、ワイヤレスネットワーク上で通信させる命令を備えるコンピュータ可読記憶媒体であって、
アクセスポイントから、フレームを受信し、前記フレームは、
前記アクセスポイントのサービスセット識別子の第１のインジケーションと、
前記第１のインジケーションのフォーマットの第２のインジケーションと、
を備え、
前記アクセスポイントの前記サービスセット識別子を決定するために、前記第２のインジケーションに基づいて前記第１のインジケーションを復号し、
前記アクセスポイントの前記サービスセット識別子に基づいて前記アクセスポイントと通信する
ための命令を備える、コンピュータ可読記憶媒体。
［Ｃ６２］
前記第２のインジケーションに基づいて前記第１のインジケーションの長さを決定するための命令をさらに備え、
前記第１のインジケーションの前記復号は、前記長さに基づく、
Ｃ６１に記載のコンピュータ可読記憶媒体。
［Ｃ６３］
前記アクセスポイントと通信することは、前記アクセスポイントと関連付けることを含む、Ｃ６１に記載のコンピュータ可読記憶媒体。
［Ｃ６４］
前記アクセスポイントと通信することは、前記アクセスポイントとの１つ以上のメッセージ交換において前記第１のインジケーションを含むことを備える、Ｃ６１に記載のコンピュータ可読記憶媒体。
【外国語明細書】
2019036971000001.pdf